(57)【要約】【課題】マッサージ、美容効果を高めるローラーマッサージ器を得ること。【解決手段】複数のローラー２と、これら複数のローラー２の回転軸３を支持するローラー支持枠４と、前記回転軸３の延長方向側に互いに隣接するローラー２の回転方向線のなす角度が１５°乃至５５°の範囲内であるように前記ローラー支持枠４を取付ける取付基盤５とからなるローラーマッサージ器。又、前記ローラー２がウレタンゴムからなり、回転外周の中央部分が丸みのある山型に形成されていること。更に又、前記取付基盤５に手把棒６を固定したこと。【選択図】      図１
2005205073.tif 000002
【特許請求の範囲】
【請求項１】
複数のローラーと、これら複数のローラーの回転軸を支持するローラー支持枠と、前記回転軸の延長方向側に互いに隣接するローラーの回転方向線のなす角度が１５°乃至５５°の範囲内であるように前記ローラー支持枠を取付ける取付基盤とを具備することを特徴とするローラーマッサージ器。
【請求項２】
前記ローラーがウレタンゴムからなり、回転外周の中央部分が丸みのある山型に形成されていることを特徴とする請求項１のローラーマッサージ器。
【請求項３】
前記取付基盤に手把棒を固定したことを特徴とする請求項１又は２に記載のローラーマッサージ器。
【発明の詳細な説明】
【技術分野】
【０００１】
この発明は、人体表面を効率良くマッサージすることができる複数のローラーを用いた携帯型のローラーマッサージ器に関する。
【背景技術】
【０００２】
従来の複数のローラーを用いた携帯型のローラーマッサージ器は、回転自在に支持枠に同一高さに支持された複数のローラーを、当該支持枠を手で掴みながら人体のこりのある表面に押圧しながら回転させることによって、こりを直すようにマッサージするものが知られていた。しかしながら、このようなローラーマッサージ器においては、人体の表面に筋肉や骨格の相違に基づく凹凸がある部位のマッサージの際にも、同じ高さでマッサージするので、特定部位とくに凹部のマッサージには十分に機能しないので、十分な効果を有していなかった。そこでこのような欠点をカバーするために、柔軟で弾力を有した取付基板に、転動可能に軸支したローラーを有した支持体を取付基板の取付面に複数横方向に並列させ、更に縦設して、しかも高さを不均一にして配して装着し、人体の形状の変化に応じて連続的に変化させてマッサージ或いは美容効果を得るローラーマッサージ器が提案されている。（例えば、特許文献１）。
【特許文献１】特開２００３−２７５２６８号公報
【発明の開示】
【発明が解決しようとする課題】
【０００３】
上記従来技術によると、人体の凹凸の表面形状の変化に応じて柔軟と弾力を有する素材から成る取付基板が曲折し、しかも高さの異なるローラーが密着して押圧するので、人体表面の筋肉や骨格、体型の違いから生じるあらゆる凹凸や曲線や形状変化に対応させて連続変化させながら直接強い刺激を与えず、無理にマッサージすることがない利点を有しているものの、次のような問題点を含んでいる。
すなわち、上記のいずれの従来技術においても、複数のローラーの向き、つまり回転方向線が全て同じであるために、ローラーマッサージ器を往復に移動させて使用した場合には、人体表面の皮膚や筋肉に対して同じ方向に対してのみしかローラーの回転押圧力が作用しないことから、皮膚や筋肉のこりを十分に直し美容効果を向上させるには、ローラーの向きを変えて同じ部位をマッサージする必要があり、このためマッサージの時間を多く要すると共に、部位によっては向きを変えてマッサージできずそのためにマッサージ効果を十分に得ることができない問題点を有していた。更に加えて、ローラーの向きが全て同じであることから、異なる方向に往復マッサージをした場合であっても、隣接しているローラー間の間隔距離は変化が生じないために、ローラーによる直線方向の押圧効果のみしか得られないという問題点がある。
【課題を解決するための手段】
【０００４】
この発明は上記事情に鑑みてなされたものであって、その手段とするところは、請求項１の発明は、複数のローラーと、これら複数のローラーの回転軸を支持するローラー支持枠と、前記回転軸の延長方向側に互いに隣接するローラーの回転方向線のなす角度が１５°乃至４５°の範囲内であるように前記ローラー支持枠を取付ける取付基盤とを具備したところにある。
【０００５】
請求項２の発明は、前記ローラーがウレタンゴムからなり、回転外周の中央部分が山型に形成されているところにある。
【０００６】
請求項３の発明は、前記取付基盤に手把棒を固定したところにある。
【発明の効果】
【０００７】
前記請求項１の発明によると、複数のローラーの回転軸の延長方向側に互いに隣接するローラーの回転方向線のなす角度が１５°乃至５５°の範囲内にあるために、それぞれのローラーを人体の表面に取付基盤を持って押圧して往復移動させてマッサージした際には、単に複数のローラーによる皮膚、筋肉等への押圧効果のみではなく、２つのローラーに挟まれた間の皮膚や筋肉を互いに離れる方向に引張る引張力や、互いに接近させるように収縮する収縮力が作用して、より一層マッサージ、美容効果を高めることができる。このような引張力や収縮力は、回転軸方向側に隣接したローラーの回転方向線が互いに平行な従来のローラーマッサージ器においては、マッサージ方向を変えて繰り返しマッサージした場合であっても得ることができない効果である。互いに隣接するローラーの回転方向線のなす角度を１５°以上としたのは、これよりも小さくなると、２つのローラーの間の皮膚や筋肉等に作用する引張力や収縮力が小さくなって効果が減少するからであり、又、逆に５５°以下としたのは、これよりも大きくなると、２つのローラー間の皮膚や筋力等に作用する収縮力や引張力が大きくなりすぎてローラーが皮膚上面を空滑りする割合が大きくなって皮膚とローラーとの間が摩擦力が増大し、適切なマッサージ効果を得られ難いからである。又、複数のローラーのうちローラーの回転軸の延長方向側にないローラー、例えば、ローラーの回転方向線側にローラーを設置したような場合において、このローラーの回転方向線に隣接するローラーの回転方向線のなす角度は、この発明の技術的範囲とは無関係である。
【０００８】
請求項２の発明は、ローラーがウレタンゴムからなるので、人体の皮膚や筋肉への押圧力が仂いた際には、適度な強さでのマッサージ、美容効果を得ることができ、又、回転外周の中央部分が丸みのある山型に形成されているので、押圧面に対して押圧力の強弱を得ることができ、より効果を高めることができる利点がある。
【０００９】
請求項３の発明は、取付基盤に手把棒を固定したので、マッサージ時にこの手把棒を持って行えることから、自分の手の届かない部位であっても自分自身でマッサージすることが可能となる。又、自分あるいは他人の身体をマッサージする場合であっても、取付基盤のように握り難いこともないので、楽に行うことができる。
【発明を実施するための最良の形態】
【００１０】
この発明の実施例のローラーマッサージ器１は、図１乃至図４に示すように、３個のローラー２と、これらローラー２の回転軸３をそれぞれ支持する支持枠４と、これら支持枠４を取付けた取付基盤５とを主な構成とする。
【００１１】
前記ローラー２は、人体の表面に直接又は肌着を介して転押圧するので、ゴムなどの多少弾力性があり摩擦抵抗のある部材が好適である。それらの中でもウレタンゴムが特に優れている。形状としては、回転外周の中央部分が丸みのある山型に形成されていると、山型部分が適度に皮膚や筋肉に喰へ込んでマッサージ効果を高める利点がある。ローラー２の大きさはとくに限定されるものではないが、最大径が概ね２０〜３０ｍｍが好適であることが実験的に判明している。ローラー２の回転は、このローラー２の中心穴を通る回転軸３に対して自由回転するようにしても、ローラー２と回転軸３を固定し、回転軸３の両端を前記支持枠４で回転自在に支持するようにしてもよい。
【００１２】
前記支持枠４は、前述のようにローラー２の回転軸３の両端を回転自在にあるいは不回転に支持するためのものであって、図２によく現われているように、１枚の中央部分の両側を折り曲げて形成した２つの支持片４ａとこれら２つの支持片４ａの上端をつなぐ前記中央部分である連結部分４ｂからなるもので、２つの支持片４ａで回転軸３の両端を支持したものである。
【００１３】
前記取付基盤５は、１枚の金属板からなり、その片面に前記ローラー２を中央に挿通している回転軸３の両端を支持している支持枠４の連結部４ｂをネジやビス等で連結固定するものである。この連結固定は、図１、図３に示すように、各ローラー２の回転軸３の延長方向に、すなわち横方向に、それぞれ隣接するローラー２の回転方向線のなす角度αが１５°乃至５５°の範囲内に納まるように固定されている。隣接する２つのローラー２の回転方向線のなす角度が１５°以下であれば、人体の皮膚の表面を転押圧した時に２つのローラー２間の皮膚や筋肉等に作用する引張力や収縮力が小さくなり効果が少くなるからである。又、逆に５５°以上であれば、取付基盤５の移動方向と回転方向線が一致する中央に位置するローラー２以外は回転をほとんどせずに皮膚上面を滑るために引張力や収縮力がほとんど発生しなくなりマッサージや美容効果が少くなるからである。
【００１４】
前記取付基盤５の形状は、前記複数のローラー２を所定間隔を開けて回転方向線が前記範囲内とすることができる最小限の大きさが望ましい。又、マッサージをする際には、取付基盤５を片手で握ってマッサージしてもよいが、図３に示すように、手把棒６を取付け固定した時には手の長さを越えた位置までマッサージすることができるので、そのために取付基盤５を延長して突出させて取付片５ａを設け、この取付片５ａに手把棒６を固定するようにしてもよい。このような条件を具備した取付基盤５としては、図３に示すように、支持枠４を取付固定する箇所が横長で両端がハの字形に傾斜し、中央部分の一端から取付片５ａが突出した略傘型Ｔ字形状となるものが望ましい。そして、手把棒６の長手方向の中心線Ａがローラーマッサージ器１のマッサージ方向すなわち往復動方向となるが、この中心線Ａと各ローラー２の回転方向線とのなす角度は、図３に示すこの実施例では真中のローラー２が０でその両横の２つのローラー２とのなす角は同じである。しかし、中心線Ａといずれかのローラー２の回転方向線を一致させる必要はなく、全てが中心線Ａと異なる方向であってもよい。
【００１５】
図４においては、ローラー２が２個の場合の実施例を示す。この実施例においては、２つのローラー２の回転方向線はいずれも手把棒６の中心線Ａすなわちローラーマッサージ器１のマッサージ方向と一致していないのみならず、中心線Ａと２つのローラー２の回転方向線のなす角度も異なっている。又、隣接する２つのローラー２の回転方向線のなす角度はローラー２が３個の場合の隣接する２つのローラー２のなす角度よりもやや大きい目とする方が、マッサージ及び美容効果が優れている。中心線Ａが２つのローラー２の回転方向線のいずれとも一致していないようにすることによって、２つのローラー２の間に挟まれる皮膚や筋肉の収緩や引張力を向上させることができるので、マッサージ、美容効果を一層向上させることができる。
【００１６】
ローラー２の数は、２個以上であればその数に限定されるものではないが、隣接するローラー２の回転方向線のなす角度が１５°乃至５５°の範囲の制限を受けることから、２個又は３個が好適である。又、隣接する２つのローラー２の回転方向線のなす角αの好ましい角度である１５°乃至５５°の範囲内であれば、マッサージ及び美容効果があるが、最も好ましい角度は、ローラー２が３個の場合では３０°前後、ローラー２が２個の場合では４５°前後である。
【００１７】
上記の構成からなるこの発明のローラーマッサージ器１を使用する際には、図５に示すように、手把棒６を片手で持って、手把棒６がない時は取付基盤５を持って往復動させつつこりのある部位や美容効果を得たい部位の人体の表面上を直接又は肌着等の上からローラー２で転押圧するだけでよい。勿論、他人に同じようにマッサージしてもらってもよい。これによって、皮膚や筋肉にローラー２による指圧効果を得ることが出来るのに加えて、隣接するローラー２の回転方向線のなす角度によって、ローラー２間に挟まれた皮膚や筋肉の部位に引張力や収縮力を付与でき、マッサージや美容効果をより高めることができる。
【産業上の利用可能性】
【００１８】
自分自身で自分の身体のためにマッサージや美容手当を行う場合は勿論、美容室等における美容師等による素肌の手入れやマッサージなどにも利用することができる。
【図面の簡単な説明】
【００１９】
【図１】ローラーを３個使用したローラーマッサージ器の斜視説明図
【図２】ローラー支持枠の斜視説明図
【図３】図１の底面図
【図４】ローラーを２個使用したローラーマッサージ器の底面図。
【図５】ローラーマッサージ器の使用状態説明図
【符号の説明】
【００２０】
１  ローラーマッサージ器
２  ローラー
３  回転軸
４  ローラー支持枠
５  取付基盤
６  手把棒
【図１】
2005205073.tif 000003
【図２】
2005205073.tif 000004
【図３】
2005205073.tif 000005
【図４】
2005205073.tif 000006
【図５】
2005205073.tif 000007